(57)【特許請求の範囲】
【請求項１】
Ａ）複数の顧客企業のクライアント端末機（３）がネットワーク（２）を介してアクセスするＷＷＷサーバ（１０）と、
前記顧客企業別の企業業務毎のデータを保存するデータベース装置（１１）と、
前記データベース装置（１１）を管理するデータベースサーバ（１２）と、
を備えたコンピュータシステムを構成し、
前記顧客企業のクライアント端末機（３）のＷｅｂページ画面からの入力指示により、
前記ＷＷＷサーバ（１０）において、文字・画像パターンの移植可能表示・印刷ファイルを生成する移植可能表示・印刷ファイル生成装置（１）であって、
Ｂ）前記データベース装置（１１）は、
前記顧客企業別に少なくとも企業会社名、住所、代表者、社員名、役職、所属、電話番号、ＦＡＸ番号、Ｅ−ｍａｉｌアドレスの各種データを保存する顧客企業毎のデータベース群（１１ａ、１１ａ′、１１ａ″）と、
前記顧客企業別のロゴマーク、企業経営に必要な本社・工場の画像、役職者・社員の写真を含む画像データを保存するデータベース群（１１ｂ、１１ｂ′、１１ｂ″）と、
前記移植可能表示・印刷ファイルの生成に用いる文字パターン、画像、動画パターン、音声を保存する企業業務毎のファイル生成データ用データベース群（１１ｃ、１１ｃ′、１１ｃ″）と、
機密性を保つための顧客企業別及び前記企業業務毎のユーザＩＤ、パスワードを保存する登録会員機密管理用データベース（１１ｄ）とを備え、
Ｃ）前記ＷＷＷサーバ（１０）は、
前記顧客企業のクライアント端末機（３）から前記移植可能表示・印刷ファイルの生成指示を受信して、前記ファイルデータ生成用データベース群（１１ｃ、１１ｃ′、１１ｃ″）から、前記企業業務に対応するファイル生成データ用データベース（１１ｃ）を検索して呼出し、
前記ファイル生成データ用データベース（１１ｃ）の当業者周知ＸＭＬに記載された文字パターン、画像、動画パターン、音声のいずれか又はその組合せのＸＭＬデータを解釈し、前記顧客企業毎のデータベース（１１ａ）と、前記画像データを保存するデータベース（１１ｂ）の読み出しデータと併せて描画座標と描画様式を確定して出力する、オブジェクト指向技術言語を用いた、前記ＸＭＬデータを解釈するプログラムの実行により機能する企業業務毎のパターン位置自動組版手段（１０ｂ、１０ｂ′、１０ｂ″）と、
前期確定され出力された描画座標と描画様式を基に、前記移植可能表示・印刷ファイル用Ａｄｏｂｅ社基準に則り、ＷＷＷサーバの作業メモリ上に、オブジェクト指向技術言語を用いた、前記移植可能表示・印刷ファイルを生成するプログラムの実行により機能する企業業務毎のファイル動的生成手段（１０ａ、１０ａ′、１０ａ″）と、
企業業務毎の前記ファイル動的生成手段（１０ａ、１０ａ′、１０ａ″）及び、パターン位置自動組版手段（１０ｂ、１０ｂ′、１０ｂ″）が、いずれもその顧客企業のみが使用できるようにその企業のユーザＩＤとパスワードを前記登録会員機密管理用データベース（１１ｄ）で検索して、それと一致するとき使用できるようにするプログラムの実行により機能する顧客間機密維持手段（１０ｃ、１０ｃ′、１０ｃ″）とを備え、
Ｅ）前記生成された顧客企業業務の移植可能表示・印刷ファイルは、前記顧客企業のクライアント端末機（３）の、Ｗｅｂページ画面で文字パターン、画像、動画パターン、音声のいずれか又はその組合せによる出力イメージが確認され、
前記出力イメージの修正を行う場合は、前記顧客企業のクライアント端末機（３）により、前記ファイル生成データ用データベースにアクセスし、当該データを修正し、再度、移植可能表示・印刷ファイルを生成し、前記Ｗｅｂページ画面上に表示して確認し、
Ｆ）前記生成された移植可能表示・印刷ファイルは、前記顧客企業のクライアント端末機（３）で取得できると共に、印刷機を用いて印刷媒体に印刷できるように構成することを特徴とするネットワークを介した企業業務毎の文字・画像パターンの移植可能表示・印刷ファイル生成装置。
【請求項２】
前記印刷媒体は、紙、ビニール又はプラスチックの化学製品、布、布の化学製品、金属、鉱物を含むことを特徴とする請求項１記載のネットワークを介した企業業務毎の文字・画像パターンの移植可能表示・印刷ファイル生成装置。
【請求項３】
前記ネットワークは、インターネット、イントラネット、エクストラネット、ローカル・エリア・ネットワーク（ＬＡＮ）（１９）のいずれか又はその組合せであることを特徴とする請求項１又は２記載のネットワークを介した企業業務毎の文字・画像パターンの移植可能表示・印刷ファイル生成装置。
【請求項４】
前記移植可能表示・印刷ファイルは、少なくとも前記顧客企業の社員の名刺、社員の給与明細書、その企業の人事管理用書類の表記を前記顧客企業のクライアント端末機（３）で表示及び／又は出力できるか、或は印刷機で印刷できるファイルであり、企業内に存在していたデータベースとそれら作成業務書類フォーマットを前記移植可能表示・印刷ファイル生成装置の仕様に置換えて搭載し、前記ＷＷＷサーバに組込まれた前記ファイル動的生成手段（１０ａ、１０ａ′、１０ａ″）を作動させて、移植可能表示・印刷ファイルを生成し、ローカル・エリア・ネットワーク（ＬＡＮ）（１９）を介してそのファイルを要求する前記顧客企業のクライアント端末機（３）に配信するか、或は、大量に印刷して社員に配布することを特徴とする請求項１乃至３のいずれか１項に記載のネットワークを介した企業業務毎の文字・画像パターンの移植可能表示・印刷ファイル生成装置。
【請求項５】
前記移植可能表示・印刷ファイルは、前記顧客企業より依頼された配信先顧客企業、顧客先を対象としたデータを前記顧客企業のクライアント端末機（３）で表示及び／又は出力できるか、或は印刷機で印刷できるファイルであり、その配信先顧客企業の不特定多数の顧客先Ｅ−ｍａｉｌアドレスにインターネット（２）を介してそのファイルを配信することを特徴とする請求項１乃至３のいずれか１項に記載のネットワークを介した企業業務毎の文字・画像パターンの移植可能表示・印刷ファイル生成装置。
【請求項６】
前記移植可能表示・印刷ファイルは、前記複数の顧客企業同士で、それぞれの企業情報データを交換し、相互の顧客企業のクライアント端末機で表示及び／又は出力できるか、或は印刷するファイルであり、インターネット（２）を介してそのファイルを相手先顧客企業に配信することを特徴とする請求項１乃至３のいずれか１項に記載のネットワークを介した企業業務毎の文字・画像パターンの移植可能表示・印刷ファイル生成装置。
【請求項７】
前記移植可能表示・印刷ファイルは、前記顧客企業がオリジナルなパターン画像を含む創作品を作るために、Ｗｅｂ上で外部委託したデザイナーのデザインを組入れることによって、企業で必要とする創作品を前記顧客企業のクライアント端末機（３）で表示及び／又は出力できるか、或は印刷機で印刷できるファイルであり、そのファイルを印刷して配布先顧客企業に配布するか、又はインターネット（２）を介してそのファイルを配布先顧客企業のクライアント端末機に配信することを特徴とする請求項１乃至３のいずれか１項に記載のネットワークを介した企業業務毎の文字・画像パターンの移植可能表示・印刷ファイル生成装置。
【請求項８】
前記創作品は少なくとも名刺、カード、カレンダーのいずれか又はその組合せであることを特徴とする請求項７記載のネットワークを介した企業業務毎の文字・画像パターンの移植可能表示・印刷ファイル生成装置。
【発明の詳細な説明】
【０００１】
【発明の属する技術分野】
本発明は企業業務に必要とする移植可能プログラム書式フォーマットのファイル形式による企業業務毎の文字・画像パターンの移植可能表示・印刷ファイルを生成したい顧客企業のために、それらの企業のクライアント端末機からネットワークを介してアクセスできるＷＷＷサーバと、前記顧客企業別毎のデータベースを備えたコンピュータシステムにおいて、そのＷＷＷサーバ上に移植可能プログラム書式フォーマットの企業業務毎の文字・画像パターンの移植可能表示・印刷ファイルを生成できる装置に関する。
【０００２】
【従来の技術】
従来においては、例えば、名刺などの印刷物を発注する場合、印刷会社は版下作成を行い、その後発注者が校正を行い、次に印刷会社が製作を開始して製品として名刺を納品することで完了していた。この作業はデジタル印刷化およびネットワーク化されつつある現状においても、それぞれ独立したプロセスなので、システム化しにくい業態であった。さらにロゴマークなどの画像パターンとの組み合わせなどがあれば、さらに受取った後に間違いがある場合が多く発生していた。
【０００３】
そこで、最近移植可能プログラム書式のファイル形式による文字画像パターンの移植可能表示・印刷ファイルとして、ＰＤＦ（Ｐｏｒｔａｂｌｅ  Ｄｏｃｕｍｅｎｔ  Ｆｏｒｍａｔ：Ａｄｏｂｅ  Ｓｙｓｔｅｍｓ社商標）ファイルが公開されているが、このＰＤＦファイルを利用して印刷する方式を提案するものである。
【０００４】
しかしながら、このＰＤＦファイルの従来における使い方は、ユーザのクライアント端末機からインターネットを介して、その相手のＷＷＷサーバのメモリ上にすでに生成されているＰＤＦファイルをユーザ自身のクライアント端末機上のブラウザプログラムにより、その画面に表示しているに過ぎない。
【０００５】
ユーザ自身が欲しい或は必要とする入力を行い、相手のＷＷＷサーバのメモリ上にそのＰＤＦファイルを生成することはいまだ提供されていなかった。すなわち、前述のごとく、すでに生成が完了されたＰＤＦファイルを取得しているのみであった。
【０００６】
従って、ＰＤＦファイルをユーザのクライアント端末機内でデータを入力し更新したい場合、そのＰＤＦファイルをＷＷＷサーバへ送信し、ＷＷＷサーバはそのＰＤＦファイルを受信して、ユーザが入力したデータに対応した新しいＰＤＦファイルを生成し、始めてＰＤＦファイルを更新することができるのが従来の使い方であった。
【０００７】
【発明が解決しようとする課題】
本発明は前述した点に鑑みてなされたものであり、その目的とするところは、ユーザ自身の欲しいデータを入力し、その結果相手のＷＷＷサーバのメモリ上に直接その入力したデータによって新規の或は更新された移植可能表示・印刷ファイルを生成し、そのファイルによって表示或は印刷が効率よくしかも速く正確にできる移植可能表示・印刷ファイル生成装置を提供するにある。
【０００８】
前記課題を解決するため、本発明のネットワークを介した移植可能表示・印刷ファイル（ＰＤＦファイル）生成装置は、Ａ）複数の顧客企業のクライアント端末機（３）がネットワーク（２）を介してアクセスするＷＷＷサーバ（１０）と、前記顧客企業別の企業業務毎のデータを保存するデータベース装置（１１）を管理するデータベースサーバ（１２）とによりコンピュータシステムを構成し、前記顧客企業のクライアント端末機（３）のＷｅｂページ画面からの入力指示により、前記ＷＷＷサーバ（１０）によって、企業業務毎の文字・画像パターンの移植可能表示・印刷ファイル（Ａｄｏｂｅ  Ｓｙｓｔｅｍｓ社のＰＤＦファイルと互換性のあるファイル、以下ＰＤＦファイルと称する）を生成する文字・画像パターンの移植可能表示・印刷ファイル（ＰＤＦファイル）生成装置（１）であって、Ｂ）前記データベース装置（１１）は、前記顧客企業別に少なくとも企業会社名、住所、代表者、社員名、役職、所属、電話番号、ＦＡＸ番号、Ｅ−ｍａｉｌアドレスの各種データを保存する顧客企業毎のデータベース群（１１ａ、１１ａ′、１１ａ″）と、前記顧客企業別のロゴマーク、企業経営に必要な本社・工場の画像、役職者・社員の写真を含む画像データを保存するデータベース群（１１ｂ、１１ｂ′、１１ｂ″）と、前記移植可能表示・印刷ファイル（ＰＤＦファイル）の生成に用いる文字パターン、画像、動画パターン、音声を保存する企業業務毎のファイル生成データ用データベース群（１１ｃ、１１ｃ′、１１ｃ″）と、機密性を保つための顧客企業別及び企業業務毎のユーザＩＤ、パスワードを保存する登録会員機密管理用データベース（１１ｄ）とを備え、Ｃ）前記ＷＷＷサーバ（１０）は、前記顧客企業のクライアント端末機（３）から前記移植可能表示・印刷ファイル（ＰＤＦファイル）の生成指示を受信して、前記ファイルデータ生成用データベース群（１１ｃ、１１ｃ′、１１ｃ″）を検索し、企業業務に対応するファイル生成データ用データベースに含まれる、文字パターン、画像、動画パターン、音声を読み出し、イ）オブジェクト指向技術言語で記載されたプログラムの実行により、前記読み出された文字パターン、画像、動画パターン、音声のいずれか又はそれらの組合せの、前記移植可能表示・印刷ファイル（ＰＤＦファイル）の表示及び／又は出力における座標位置を定める、前記企業業務毎のパターン位置自動組版手段（１０ｂ、１０ｂ′、１０ｂ″）と、ロ）オブジェクト指向技術言語で記載されたプログラムの実行により、前記ＷＷＷサーバの作業メモリ上に、前記移植可能表示・印刷ファイル（ＰＤＦファイル）を生成する、前記企業業務毎のファイル動的生成手段（１０ａ、１０ａ′、１０ａ″）と、ハ）プログラムの実行により前記顧客企業別及び企業業務毎のユーザＩＤとパスワードを前記登録会員機密管理用データベース（１１ｄ）から検索して、一致が検出された時のみ、前記パターン位置自動組版手段（１０ｂ、１０ｂ′、１０ｂ″）及び、前記ファイル動的生成手段（１０ａ、１０ａ′、１０ａ″）を、前記顧客企業のみが使用可能とする、顧客間機密維持手段（１０ｃ、１０ｃ′、１０ｃ″）と、を備え、Ｅ）生成された前記企業業務毎の移植可能表示・印���ファイル（ＰＤＦファイル）は、前記顧客企業のクライアント端末機（３）の、Ｗｅｂページ画面で文字パターン、画像、動画パターン、音声のいずれか又はその組合せによる表示・印刷の出力イメージとして表示され、前記表示・印刷の出力イメージは、前記顧客企業のクライアント端末機（３）のＷｅｂページ画面からの入力指示により、前記ファイル生成データ用データベースの文字パターン、画像、動画パターン、音声が修正され、前記移植可能表示・印刷ファイル（ＰＤＦファイル）が生成されて、前記Ｗｅｂページ画面上に表示され、Ｆ）前記生成された移植可能表示・印刷ファイル（ＰＤＦファイル）は、前記顧客企業のクライアント端末機（３）において取得できると共に、印刷機を用いて印刷媒体に印刷されることを特徴とする。
【０００９】
また、前記印刷媒体は、紙、ビニール又はプラスチックの化学製品、布、布の化学製品、金属、鉱物を含むことを特徴とする。
【００１０】
また、前記ネットワークは、インターネット、イントラネット、エクストラネット、ローカル・エリア・ネットワーク（ＬＡＮ）（１９）のいずれか又はその組合せであることを特徴とする。
【００１１】
また、前記移植可能表示・印刷ファイル（ＰＤＦファイル）は、少なくとも前記顧客企業の社員の名刺、社員の給与明細書、その企業の人事管理用書類の表記を前記顧客企業のクライアント端末機（３）で表示及び／又は出力できるか、或は印刷機で印刷できるファイルであり、企業内に存在していたデータベースとそれら作成業務書類フォーマットを前記移植可能表示・印刷ファイル（ＰＤＦファイル）生成装置の仕様に置換えて搭載し、前記ＷＷＷサーバに組込まれた前記ファイル動的生成手段（１０ａ、１０ａ′、１０ａ″）を作動させて、移植可能表示・印刷ファイル（ＰＤＦファイル）を生成し、ローカル・エリア・ネットワーク（ＬＡＮ）（１９）を介してそのファイルを要求する前記顧客企業のクライアント端末機（３）に配信するか、或は、大量に印刷して社員に配布することを特徴とする。
【００１２】
前記移植可能表示・印刷ファイル（ＰＤＦファイル）は、前記顧客企業より依頼された前記顧客企業の顧客先を対象としたデータを、該顧客先の端末機で表示及び／又は出力できるか、或は印刷機で印刷できるファイルであり、前記顧客企業の不特定多数の顧客先Ｅ−ｍａｉｌアドレスにインターネット（２）を介してそのファイルを配信することを特徴とする。
【００１３】
前記移植可能表示・印刷ファイル（ＰＤＦファイル）は、前記複数の顧客企業同士で、それぞれの企業情報データを交換し、相互の顧客企業のクライアント端末機で表示及び／又は出力できるか、或は印刷するファイルであり、インターネット（２）を介してそのファイルを相手先顧客企業に配信することを特徴とする。
【００１４】
前記移植可能表示・印刷ファイル（ＰＤＦファイル）は、前記複数の顧客企業同士で、それぞれの企業情報データを交換し、相互の顧客企業のクライアント端末機で表示及び／又は出力できるか、或は印刷するファイルであり、インターネット（２）を介してそのファイルを相手先顧客企業に配信することを特徴とする。
【００１５】
また、前記創作品は少なくとも名刺、カード、カレンダーのいずれか又はその組合せであることを特徴とする。
【００１６】
【発明の実施の形態】
以下、本発明の実施の形態を図に基づき説明する。
【００１７】
図１は本発明の移植可能表示・印刷ファイル生成装置（以後移植可能ファイル生成装置と略称する）のブロック構成図と、その装置とネットワークを介して接続する複数の顧客企業のクライアント端末機との関係を示す図である。
【００１８】
図２は移植可能ファイル生成装置の詳細なブロック構成図である。
【００１９】
ここで、１は本発明のネットワークを介した移植可能ファイル生成装置、２はネットワークであり、本実施例ではインターネットの場合とする。３，３′は顧客企業のクライアント端末機を示し、ブラウザプログラム３ａ，３ａ′によりインターネットを介して移植可能ファイル生成装置１に接続しアクセスすることができる。
【００２０】
次に、移植可能ファイル生成装置１は、ＷＷＷサーバ１０、データベース装置１１、データベースサーバ１２、ネットワーク接続回路部１３、保守・課金用管理端末１４、それらを接続するローカル・エリア・ネットワーク（ＬＡＮ）１９からなる。
【００２１】
ここで、データベース装置１１は、顧客企業別に登録会員としての基本的な情報として、その企業会社名、住所、代表者、社員名、役職、所属、電話番号、ＦＡＸ番号、Ｅ−ｍａｉｌアドレスを少なくとも記録した顧客企業毎の基本的情報データベース群１１ａ，１１ａ′，１１ａ″と、企業のロゴマーク、企業経営に必要な本社・工場の画像、役職者及び社員の写真等を含む顧客企業毎の付加的情報データベース群１１ｂ，１１ｂ′，１１ｂ″と、企業業務に必要とする前記移植可能表示・印刷ファイルの生成に用いる文字、画像、動画、音声データを記録した企業業務毎のファイル生成データ用データベース群１１ｃ，１１ｃ′，１１ｃ″と、それらのデータベース群で登録会員企業間の機密性を保つための顧客企業毎及び企業業務毎のユーザＩＤ、パスワードを記録した登録会員機密管理用データベース１１ｄとを備えている。
【００２２】
また、ＷＷＷサーバ１０は、クライアント端末機３，３′からのアクセス信号に応答して、Ｗｅｂページ画面を送信すると共に、企業業務毎ファイル動的生成手段１０ａ，１０ａ′，１０ａ″と、企業業務毎パターン位置自動組版手段１０ｂ，１０ｂ′，１０ｂ″と、顧客間機密維持手段１０ｃとを備えている。
【００２３】
ここで、企業業務毎ファイル動的生成手段１０ａ，１０ａ′，１０ａ″は、顧客企業のクライアント端末機３から前記ファイル生成信号を受信してファイル生成データ用データベース群１１ｃを検索して呼出し、そのデータを使用してＷＷＷサーバの作業メモリ上に前記企業業務に対応する移植可能表示・印刷ファイルを生成するオブジェクト指向技術言語、例えばＪａｖａ（Ｓｕｎ  Ｍｉｃｒｏｓｙｓｔｅｍｓ社商標）言語で記述したプログラムである。
【００２４】
また、企業業務毎パターン位置自動組版手段１０ｂ，１０ｂ′，１０ｂ″は、ファイル生成データ用データベース１１ｃに含まれ、当業者周知のＸＭＬに記載された文字パターン、画像、動画パターン、音声のいずれか又はその組合せのＸＭＬデータを解釈し、前記顧客企業毎のデータベース（１１ａ）と、前記画像データを保存するデータベース（１１ｂ）の読み出しデータと併せて描画座標と描画様式を確定して出力する、オブジェクト指向技術言語、又は他のオブジェクト指向技術言語を用いた、前記ＸＭＬデータを解釈するプログラムである。
【００２５】
また、顧客間機密維持手段１０ｃは、前記ファイル動的生成手段、１０ａ，１０ａ′，１０ａ″及びパターン位置自動組版手段１０ｂ，１０ｂ′，１０ｂがいずれもその顧客企業のみが使用できるように、その企業のユーザＩＤとパスワードを登録会員機密管理用データベース１１ｄで検索して、それと一致するとき使用できるようにするプログラムである。
【００２６】
次に、移植可能ファイル生成装置１の動作の流れを図に基づいて説明する。図３、図４は、顧客企業から受注した企業業務が名刺作成の場合の具体的な実施例である。
【００２７】
まず、顧客企業クライアント端末機３のＷｅｂページからインターネット２を介する名刺作成依頼信号により本装置１が受注する（Ｓ３１）。
【００２８】
次に、本装置１は登録会員機密管理用データベース１１ｄを検索し受注が初日で未契約か、契約済かを調べる（Ｓ３２）。
【００２９】
ここで、未契約の場合であれば、企業を登録会員とするために必要な基本的な情報及び付加的な情報の文字データ、画像データ等をインターネットを介して受信し、それぞれのデータベース１１ａ，１１ｂに記録する。さらに、受注した名刺作成に必要なファイル生成データ用の文字、画像データ等を受信し、ファイル生成データ用データベース１１ｃに記録する（Ｓ３３）。
【００３０】
次いで、企業と契約が成立すれば、本装置１より、その企業にユーザＩＤとパスワードを発行し、そのデータを登録会員機密管理用データベース１１ｄに記録する（Ｓ３４）。
【００３１】
次に、いずれにしても、契約済であれば登録会員企業のその業務担当者はユーザＩＤとパスワードによりインターネットを介していつでも本装置１のＷｅｂサーバにアクセス可能状態となる（Ｓ３５）。
【００３２】
この状態において、本装置１のＷｅｂサーバはユーザからの名刺作成受注に対応して、その名刺作成業務プログラムを起動させる（Ｓ４１）。
【００３３】
次に、名刺作成業務プログラムの起動により、前記ユーザの企業業務ファイル動的生成手段１０ａと、その企業業務パターン位置自動組版手段１０ｂにより、その企業業務のファイル生成データ用データベース１１ｃ、及び前記顧客企業毎のデータベース（１１ａ）と、前記画像データを保存するデータベース（１１ｂ）を呼出して、Ｗｅｂサーバの作業メモリ上に受注名刺作成に必要な移植可能表示・印刷ファイルを生成する（Ｓ４２）。
【００３４】
次に、ユーザはこの生成されたファイルをクライアント端末機３で、その印刷前にイメージを確認し、もし修正が必要であればデータベース１１ｃをアクセスして修正更新し、再度修正したイメージを確認する（Ｓ４３）。
【００３５】
ここで、よければユーザは発注ボタンを押して本装置１はその発注信号を受け、その企業業務の名刺作成用の移植可能表示・印刷ファイルとして発注処理用データベースに記録する（Ｓ４４）。
【００３６】
契約した所定の日までに、前記名刺作成用移植可能表示・印刷ファイルを印刷工場へ運送し、その移植可能表示・印刷ファイルにより、デジタル印刷処理を行い、その印刷物である名刺をユーザへ配送する。
【００３７】
デジタル印刷処理の場合、印刷対象の媒体は紙、ビニール又はプラスチックの化学製品、布、布の化学製品、金属面、鉱物面でも印刷できる。
【００３８】
図３、図４において示した実施例は名刺作成の場合を示したが、企業業務として社員の給与明細書、その関連書類、人事管理用書類などの作成がある。さらに、企業内に存在していたデータベース内の情報データとそれらの作成業務書類のフォーマットとを組合せて、各種の企業業務書類の移植可能表示・印刷ファイルを生成することができる。
【００３９】
このように移植可能表示・印刷ファイルを生成しておけば、いつでもこのファイルにより、企業の各自の端末機に表示することが可能であり、また必要ならば、それを印刷物にすることもできる。
【００４０】
また、その移植可能表示・印刷ファイルを社内のＬＡＮ、イントラネットなどを使用して送信し、その送信相手の端末機で表示させることもできる。
【００４１】
また、移植可能表示・印刷ファイルは、顧客企業より依頼された顧客企業顧客先を対象とした内容を表示或は印刷できるファイルであってもよい。そのファイルを前記顧客企業顧客先の不特定多数のＥ−ｍａｉｌアドレスにインターネットを介して配信する企業業務に用いることができる。
【００４２】
また、移植可能表示・印刷ファイルは、複数の顧客企業同士の相互間の依頼に基づいて、それぞれの企業情報データを交換するための内容を表示或は印刷できるファイルでもよい。その生成ファイルをインターネットを介して配信する企業業務に用いることができる。
【００４３】
また、移植可能表示・印刷ファイルは、顧客企業がオリジナルなパターン画像を含む創作品を作るために、Ｗｅｂ上で外部デザイナーのデザインを組入れることにより、企業で必要とする創作品の内容を表示或は印刷できるファイルでもよい。そのファイルもインターネットを介して顧客企業に配信し、或は印刷して配布することを企業業務に用いることができる。その場合その創作品にはカレンダー、各種カード、名刺などが含まれる。
【００４４】
【発明の効果】
本発明のネットワークを介した移植可能表示・印刷ファイル生成装置は次のような効果を奏する。
【００４５】
移植可能表示・印刷ファイルをユーザはクライアント端末機からネットワークを介して直接生成できるので、印刷前に充分確認して発注することができる。
【００４６】
とくにロゴマークや或は画像などを含んだ書類や、その書類における画像の位置なども印刷前に確認して発注できる。
【００４７】
ユーザが直接データベースにいつでもアクセスして修正できるので、校正が短い時間ですみ、早く印刷物が完了する。
【００４８】
データベース等の設備を共通にして、専門の企業がそのファイル生成装置を管理運用するので、設備保守等にかかる費用も少なくなる。
【００４９】
また、移植可能表示・印刷ファイルとして生成できるので、各種の企業業務内容のファイルを生成し、そのファイルをインターネット、ＬＡＮ、イントラネット等で配信し、タイミングよく多数の社内社員や顧客先へ情報データを通知できる。
【図面の簡単な説明】
【図１】本発明の移植可能表示・印刷ファイル生成装置のブロック構成図と、それに接続するネットワークと顧客企業端末機との関係を示す図である。
【図２】本発明の移植可能表示・印刷ファイル生成装置のブロック構成図である。
【図３】本発明の移植可能表示・印刷ファイル生成装置の動作の流れを示す図である。
【図４】本発明の移植可能表示・印刷ファイル生成装置の動作の流れを示す図である。
【符号の説明】
１    移植可能表示・印刷ファイル生成装置（移植可能ファイル生成装置）
２    インターネット（ネットワーク）
３，３′  顧客企業のクライアント端末機
３ａ，３ａ′  ブラウズプログラム
１０    ＷＷＷサーバ
１０ａ，１０ａ′，１０ａ″  企業業務毎ファイル動的生成手段
１０ｂ，１０ｂ′，１０ｂ″  企業業務毎パターン位置自動組版手段
１０ｃ  顧客間機密維持手段
１１    データベース装置
１１ａ，１１ａ′，１１ａ″  顧客企業毎の基本的情報データベース群
１１ｂ，１１ｂ′，１１ｂ″  顧客企業毎の付加的情報データベース群
１１ｃ，１１ｃ′，１１ｃ″  企業業務毎のファイル生成データ用データベース群
１１ｄ  登録会員機密管理用データベース
１２    データベースサーバ
１３    ネットワーク接続回路部
１４    保守・課金用管理端末
１９    ローカル・エリア・ネットワーク（ＬＡＮ）
【図１】
0005077787.tif 000002
【図２】
0005077787.tif 000003
【図３】
0005077787.tif 000004
【図４】
0005077787.tif 000005